(57)【要約】【課題】代理応答端末の表示画面を介して容易に代理応答可能か否かを判断する。【解決手段】代理応答端末４００は、複数の通話端末のいずれかから発信された着信先の番号をＩＰ交換機１００から受信し、複数の通話端末の識別情報を、複数の通話端末の実際の設置位置に対応して配置させて表示された表示画面において、受信された着信先の番号に対応する表示画面に表示された一の通話端末の識別情報の表示を、着信中であることを示す表示に変更し、ユーザ操作に応じて、表示画面に表示された一の通話端末の識別情報を選択し、選択された一の通話端末に代わって応答することを示す代理応答操作識別情報をＩＰ交換機１００に送信する。【選択図】図１
2010034975.tif 000002
【特許請求の範囲】
【請求項１】
複数の通話端末と接続可能な交換機と接続される代理応答端末であって、
前記複数の通話端末のいずれかから発信された着信先の番号を前記交換機から受信する受信部と、
前記複数の通話端末の識別情報と前記複数の通話端末の実際の設置位置の情報とを関連付けて記憶している位置情報記憶部と、
前記複数の通話端末の識別情報を、前記位置情報記憶部に記憶されている前記複数の通話端末の実際の設置位置に対応して配置させて表示画面に表示させる表示制御部と、
ユーザ操作に応じて、前記表示画面に表示された一の通話端末の識別情報を選択する選択部と、
前記選択部により選択された前記一の通話端末に代わって応答することを示す代理応答操作識別情報を前記交換機に送信する送信部と、
を備え、
前記表示制御部は、前記受信部により受信された着信先の番号に対応する前記表示画面に表示された前記一の通話端末の識別情報の表示を、着信中であることを示す表示に変更する、代理応答端末。
【請求項２】
前記表示制御部は、
前記複数の通話端末の識別情報を電話アイコンとともに表示させ、前記受信部により受信された着信先の番号に対応する前記表示画面に表示された前記一の通話端末の前記電話アイコンの表示を変更することにより着信中であることを示す、請求項１に記載の代理応答端末。
【請求項３】
前記位置情報記憶部に記憶している前記複数の通話端末の実際の設置位置の情報は、ユーザ入力に応じて変更される、請求項１に記載の代理応答端末。
【請求項４】
前記送信部は、
前記選択部により選択された前記一の通話端末に代わって前記交換機に接続されたボイスメール装置に着信させることを示す着信代行操作識別情報を前記交換機に送信する、請求項１に記載の代理応答端末。
【請求項５】
前記受信部は、前記着信先の番号とともに、前記着信先の通話端末の在席情報を前記交換機から受信し、
前記表示制御部は、前記受信部により受信された着信先の番号に対応する前記表示画面に表示された前記一の通話端末の識別情報の表示を、着信中であることを示す表示に変更するとともに、前記一の通話端末の在席情報を表示する、請求項１に記載の代理応答端末。
【請求項６】
複数の通話端末と接続可能な交換機と、前記複数の通話端末を代理して応答する代理応答端末とが接続された代理応答システムであって、
前記交換機は、
前記複数の通話端末のいずれかから発信された着信先の番号を、着信先の端末の着信操作を代理応答可能な前記代理応答端末に送信する送信部と、
前記代理応答端末が一の通話端末に代わって応答可能な場合に、前記一の通話端末と前記代理応答端末との接続を制御する呼制御部と、
を備え、
前記代理応答端末は、
前記交換機に備わる前記送信部から送信される前記複数の通話端末のいずれかから発信された着信先の番号を受信する受信部と、
前記複数の通話端末の識別情報と前記複数の通話端末の実際の設置位置の情報とを関連付けて記憶している位置情報記憶部と、
前記複数の通話端末の識別情報を、前記位置情報記憶部に記憶されている前記通話端末の実際の設置位置に対応して配置させて表示画面に表示させる表示制御部と、
ユーザ操作に応じて、前記表示画面に表示された一の通話端末の識別情報を選択する選択部と、
前記選択部により選択された前記一の通話端末に代わって応答することを示す代理応答操作識別情報を前記交換機に送信する送信部と、
を備え、
前記表示制御部は、前記受信部により受信された着信先の番号に対応する前記表示画面に表示された前記一の通話端末の識別情報の表示を、着信中であることを示す表示に変更する、代理応答システム。
【請求項７】
前記交換機に備わる前記呼制御部は、
前記代理応答端末から前記代理応答識別情報を送信された場合に、前記代理応答端末が前記一の通話端末に代わって応答可能であると判断する、請求項６に記載の代理応答システム。
【請求項８】
前記代理応答端末に備わる前記送信部は、
前記選択部により選択された前記一の通話端末に代わって前記交換機に接続されたボイスメール装置に着信させることを示す着信代行操作識別情報を前記交換機に送信し、
前記交換機に備わる前記呼制御部は、
前記代理応答端末から前記着信代行識別情報を送信された場合に、前記交換機に接続されたボイスメール装置により着信代行する、請求項６に記載の代理応答システム。
【請求項９】
前記交換機に備わる前記呼制御部による前記代理応答端末が一の通話端末に代わって応答可能か否かの判断は、前記代理応答端末により送信される特別な操作を示す特番により判断される、請求項６に記載の代理応答システム。
【請求項１０】
前記交換機に在席情報検索サーバが接続され、
前記在席情報検索サーバは、
前記複数の通話端末のいずれかから発信された着信先の番号を前記交換機から受信する受信部と、
前記複数の通話端末の番号と前記複数の通話端末の現在の在席情報とを関連付けて記憶している在席情報記憶部と、
前記受信部により受信された前記通話端末の着信先の番号に関連付けられた前記通話端末の現在の在席情報を前記在席情報記憶部から検索する検索部と、
前記検索部により検索された前記通話端末の現在の在席情報を前記交換機に送信する送信部と、
を備える、請求項６に記載の代理応答システム。
【請求項１１】
複数の通話端末と接続可能な交換機と接続される代理応答端末において実行される代理応答方法であって、
前記複数の通話端末のいずれかから発信された着信先の番号を前記交換機から受信するステップと、
前記複数の通話端末の識別情報を、前記複数の通話端末の実際の設置位置に対応して配置させて表示された表示画面において、前記受信された着信先の番号に対応する前記表示画面に表示された一の通話端末の識別情報の表示を、着信中であることを示す表示に変更するステップと、
ユーザ操作に応じて、前記表示画面に表示された前記一の通話端末の識別情報を選択するステップと、
前記選択された前記一の通話端末に代わって応答することを示す代理応答操作識別情報を前記交換機に送信するステップと、
を含む、代理応答方法。
【請求項１２】
複数の通話端末と接続可能な交換機と、前記複数の通話端末を代理して応答する代理応答端末とが接続された代理応答システムにおいて実行される代理応答方法であって、
前記交換機が
前記複数の通話端末のいずれかから発信された着信先の番号を、着信先の端末の着信操作を代理応答可能な前記代理応答端末に送信するステップと、
前記代理応答端末が
前記交換機から前記着信先の番号を受信するステップと、
が前記複数の通話端末の識別情報を、前記複数の通話端末の実際の設置位置に対応して配置させて表示された表示画面において、前記受信された着信先の番号に対応する前記表示画面に表示された一の通話端末の識別情報の表示を、着信中であることを示す表示に変更するステップと、
ユーザ操作に応じて、前記表示画面に表示された前記一の通話端末の識別情報を選択するステップと、
前記選択された前記一の通話端末に代わって応答することを示す代理応答操作識別情報を前記交換機に送信するステップと、
前記交換機が、
前記代理応答端末に前記一の通話端末に代わって応答させるために、前記一の通話端末と前記代理応答端末との接続を制御するステップと、
を備える、代理応答方法。
【発明の詳細な説明】
【技術分野】
【０００１】
本発明は、代理応答端末、代理応答システムおよび代理応答方法に関し、特に、表示画面を用いて代理応答が可能な代理応答端末、代理応答システムおよび代理応答方法に関する。
【背景技術】
【０００２】
従来、オフィス等に複数の内線電話機が配置されている場合に、他者への着信に対しては代理応答という形で対応することが可能であった。代理応答とは、別の席の者が不在であった場合に、自席の内線電話機により他者への着信に応答することをいう。内線電話機による代理応答を容易にするために、代理応答可能な電話機をパーソナルコンピュータ（以下ＰＣと称す。）等の表示画面を介して操作する技術が開示されている（例えば、特許文献１）。
【０００３】
【特許文献１】特開２０００−２７８７２５号公報
【発明の開示】
【発明が解決しようとする課題】
【０００４】
しかし、特許文献１では、着信時における交換機、サーバおよび内線電話機間における具体的な情報のやりとりが明記されていないため、表示画面を介した代理応答を可能とすることは困難であった。
また、特許文献１では、サーバ装置を必要とし、内線電話機の着信状態をクライアント上で把握するために、サーバ装置と電話交換機との間で頻繁に情報のやりとりをする必要があり、サーバ装置およびクライアントにおいて常に負荷がかかるという問題があった。
また、サーバ装置内に内線電話機の配置位置情報などを保持する必要がある。このため、サーバ装置とクライアント間で多くの情報を交換することとなり、ネットワークに負担がかかるという問題があった。
さらに、従来の代理応答時には、鳴動している着信端末の場所を容易に把握することが困難であり、利用者が即座に代理応答すべきか否か判断することが難しいという問題があった。
【０００５】
そこで、本発明は、上記問題に鑑みてなされたものであり、本発明の目的とするところは、代理応答端末の表示画面を介して容易に代理応答可能か否かを判断することが可能な、新規かつ改良された代理応答端末、代理応答システムおよび代理応答方法を提供することにある。
【課題を解決するための手段】
【０００６】
上記課題を解決するために、本発明のある観点によれば、複数の通話端末と接続可能な交換機と接続される代理応答端末であって、複数の通話端末のいずれかから発信された着信先の番号を交換機から受信する受信部と、複数の通話端末の識別情報と複数の通話端末の実際の設置位置の情報とを関連付けて記憶している位置情報記憶部と、複数の通話端末の識別情報を、位置情報記憶部に記憶されている複数の通話端末の実際の設置位置に対応して配置させて表示画面に表示させる表示制御部と、ユーザ操作に応じて、表示画面に表示された一の通話端末の識別情報を選択する選択部と、選択部により選択された一の通話端末に代わって応答することを示す代理応答操作識別情報を交換機に送信する送信部と、を備え、表示制御部は、受信部により受信された着信先の番号に対応する表示画面に表示された一の通話端末の識別情報の表示を、着信中であることを示す表示に変更する、代理応答端末が提供される。
【０００７】
かかる構成によれば、代理応答端末は、交換機から着信端末の内線番号を受信し、複数の通話端末の内線番号を通話端末の実際の設置位置に対応して配置させて表示された表示画面において、受信した着信先の番号に対応する表示画面に表示された一の通話端末の内線番号の表示を着信中であることを示す表示に変更する。そして、ユーザにより表示画面に表示された一の通話端末の内線番号が選択されると、当該通話端末に変わって応答することを示す代理応答操作識別情報を交換機に送信する。これにより、代理応答端末を利用するユーザは、表示画面上に表示されたＧＵＩにより容易に代理応答可能か否かを判断することが可能となる。
【０００８】
また、表示制御部は、複数の通話端末の識別情報を電話アイコンとともに表示させ、受信部により受信された着信先の番号に対応する表示画面に表示された一の通話端末の電話アイコンの表示を変更することにより着信中であることを示すようにしてもよい。
【０００９】
また、位置情報記憶部に記憶している複数の通話端末の実際の設置位置の情報は、ユーザ入力に応じて変更されるようにしてもよい。
【００１０】
また、送信部は、選択部により選択された一の通話端末に代わって交換機に接続されたボイスメール装置に着信させることを示す着信代行操作識別情報を交換機に送信するようにしてもよい。
【００１１】
また、受信部は、着信先の番号とともに、着信先の通話端末の在席情報を交換機から受信し、表示制御部は、受信部により受信された着信先の番号に対応する表示画面に表示された一の通話端末の識別情報の表示を、着信中であることを示す表示に変更するとともに、一の通話端末の在席情報を表示するようにしてもよい。
【００１２】
また、上記課題を解決するために、本発明の別の観点によれば、複数の通話端末と接続可能な交換機と、複数の通話端末を代理して応答する代理応答端末とが接続された代理応答システムが提供される。
【００１３】
上記交換機は、複数の通話端末のいずれかから発信された着信先の番号を、着信先の端末の着信操作を代理応答可能な代理応答端末に送信する送信部と、代理応答端末が一の通話端末に代わって応答可能な場合に、一の通話端末と代理応答端末との接続を制御する呼制御部とを備える。
【００１４】
上記代理応答端末は、交換機に備わる送信部から送信される複数の通話端末のいずれかから発信された着信先の番号を受信する受信部と、複数の通話端末の識別情報と複数の通話端末の実際の設置位置の情報とを関連付けて記憶している位置情報記憶部と、複数の通話端末の識別情報を、位置情報記憶部に記憶されている通話端末の実際の設置位置に対応して配置させて表示画面に表示させる表示制御部と、ユーザ操作に応じて、表示画面に表示された一の通話端末の識別情報を選択する選択部と、選択部により選択された一の通話端末に代わって応答することを示す代理応答操作識別情報を交換機に送信する送信部と、を備え、表示制御部は、受信部により受信された着信先の番号に対応する表示画面に表示された一の通話端末の識別情報の表示を、着信中であることを示す表示に変更する。
【００１５】
また、交換機に備わる呼制御部は、代理応答端末から代理応答識別情報を送信された場合に、代理応答端末が一の通話端末に代わって応答可能であると判断するようにしてもよい。
【００１６】
代理応答端末に備わる送信部は、選択部により選択された一の通話端末に代わって交換機に接続されたボイスメール装置に着信させることを示す着信代行操作識別情報を交換機に送信し、交換機に備わる呼制御部は、代理応答端末から着信代行識別情報を送信された場合に、交換機に接続されたボイスメール装置により着信代行するようにしてもよい。
【００１７】
交換機に備わる呼制御部による代理応答端末が一の通話端末に代わって応答可能か否かの判断は、代理応答端末により送信される特別な操作を示す特番により判断されるようにしてもよい。
【００１８】
また、交換機に在席情報検索サーバが接続され、在席情報検索サーバは、複数の通話端末のいずれかから発信された着信先の番号を交換機から受信する受信部と、複数の通話端末の番号と複数の通話端末の現在の在席情報とを関連付けて記憶している在席情報記憶部と、受信部により受信された通話端末の着信先の番号に関連付けられた通話端末の現在の在席情報を在席情報記憶部から検索する検索部と、検索部により検索された通話端末の現在の在席情報を交換機に送信する送信部と、を備えてもよい。
【００１９】
上記課題を解決するために、本発明の別の観点によれば、複数の通話端末と接続可能な交換機と接続される代理応答端末において実行される代理応答方法であって、複数の通話端末のいずれかから発信された着信先の番号を交換機から受信するステップと、複数の通話端末の識別情報を、複数の通話端末の実際の設置位置に対応して配置させて表示された表示画面において、受信された着信先の番号に対応する表示画面に表示された一の通話端末の識別情報の表示を、着信中であることを示す表示に変更するステップと、ユーザ操作に応じて、表示画面に表示された一の通話端末の識別情報を選択するステップと、選択された一の通話端末に代わって応答することを示す代理応答操作識別情報を交換機に送信するステップと、を含む、代理応答方法が提供される。
【００２０】
上記課題を解決するために、本発明の別の観点によれば、複数の通話端末と接続可能な交換機と、複数の通話端末を代理して応答する代理応答端末とが接続された代理応答システムにおいて実行される代理応答方法であって、交換機が、複数の通話端末のいずれかから発信された着信先の番号を、着信先の端末の着信操作を代理応答可能な代理応答端末に送信するステップと、代理応答端末が交換機から着信先の番号を受信するステップと、が複数の通話端末の識別情報を、複数の通話端末の実際の設置位置に対応して配置させて表示された表示画面において、受信された着信先の番号に対応する表示画面に表示された一の通話端末の識別情報の表示を、着信中であることを示す表示に変更するステップと、ユーザ操作に応じて、表示画面に表示された一の通話端末の識別情報を選択するステップと、選択された一の通話端末に代わって応答することを示す代理応答操作識別情報を交換機に送信するステップと、交換機が、代理応答端末に一の通話端末に代わって応答させるために、一の通話端末と代理応答端末との接続を制御するステップと、を備える、代理応答方法が提供される。
【発明の効果】
【００２１】
以上説明したように本発明によれば、代理応答端末の表示画面を介して容易に代理応答可能か否かを判断することができる。
【発明を実施するための最良の形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
また、以下に示す順序に従って当該「発明を実施するための最良の形態」を説明する。
〔１〕本実施形態の目的
〔２〕代理応答システムの全体構成および各装置の概要
〔３〕第１実施形態の動作の詳細
〔４〕第２実施形態の動作の詳細
〔５〕第３実施形態の動作の詳細
【００２４】
〔１〕本実施形態の目的
まず、本実施形態の目的について説明する。従来、オフィス等に複数の内線電話機が配置されている場合に、他者への着信に対しては代理応答という形で対応することが可能であった。代理応答とは、別の席の者が不在であった場合に、自席の内線電話機により他者への着信に応答することをいう。内線電話機による代理応答を容易にするために、代理応答可能な電話機をパーソナルコンピュータ（以下ＰＣと称す。）等の表示画面を介して操作する技術が開示されている。
【００２５】
しかし、従来技術においては、着信時における交換機、サーバおよび内線電話機間における具体的な情報のやりとりが明記されていないため、表示画面を介した代理応答を可能とすることは困難であった。
【００２６】
また、上記の従来技術では、サーバ装置を必要とし、内線電話機の着信状態をクライアント上で把握するために、サーバ装置と電話交換機との間で頻繁に情報のやりとりをする必要があり、サーバ装置およびクライアントにおいて常に負荷がかかるという問題があった。また、サーバ装置内に内線電話機の配置位置情報などを保持する必要がある。このため、サーバ装置とクライアント間で多くの情報を交換することとなり、ネットワークに負担がかかるという問題があった。さらに、従来の代理応答時には、鳴動している着信端末の場所を容易に把握することが困難であり、利用者が即座に代理応答すべきか否か判断することが難しいという問題があった。
【００２７】
そこで、上記のような事情を一着眼点として、本発明の実施形態にかかる代理応答システム１が提供されるに至った。本実施形態にかかる代理応答システム１によれば、表示画面を介して容易に代理応答可能か否かを判断することが可能となる。
【００２８】
〔２〕代理応答システムの全体構成および各装置の概要
次に、図１に基づいて、本実施形態にかかる代理応答システム１の全体構成について説明する。図１は、本実施形態にかかる代理応答システム１の構成例を示した説明図である。図１に示したように、代理応答システム１は、ＩＰ交換機１００と、発信端末２００と、着信端末３００と、代理応答端末４００と、プレゼンスサーバ５００などを含んで構成される。本実施形態では、本発明の交換機の一例としてＩＰ交換機１００を例示して説明する。ＩＰ交換機１００は、ＩＰを送受信しないレガシ交換機であってもよい。
【００２９】
ＩＰ交換機１００と各端末は、ＩＰ電話網等の銅線または光ファイバーなどの有線ケーブルや無線電波などデータの伝送路となるネットワークによって接続されている。ＩＰ交換機１００は、アナログ電話機などのレガシ端末、ＩＰ電話機などのＩＰ端末、アナログ回線などのトランクおよびＰＨＳ端末の基地局を収容することができる。
【００３０】
ＩＰ交換機１００は、呼制御部１０１、操作対象端末情報データベース１０２、ボイスメール装置１０３などを含んで構成される。呼制御部１０１は、ＩＰ交換機１００に収容されている端末およびトランク間の発着信を管理し、呼制御メッセージの中継処理を実行する機能を有する。ＩＰ交換機１００に収容されている端末およびトランク間の発着信を管理するとは、ＩＰ交換機１００に接続されている各端末の発着信の制御を行うことを意味する。例えば、発信端末２００から着信端末３００に発信があった場合に、発信端末２００と着信端末３００との接続を制御する。また、着信端末３００に代わって、代理応答端末４００が代理応答する場合には、発信端末２００と代理応答端末４００との接続を制御する。
【００３１】
操作対象端末情報データベース１０２は、各端末に対する着信操作が可能な端末の内線番号情報が登録されている。ここで、図２を参照して、操作対象端末情報データベース１０２の登録内容について説明する。図２は、操作対象端末情報データベース１０２の登録内容の一例を示す説明図である。
【００３２】
図２に示したように、操作対象端末情報データベース１０２には、着信端末の内線番号１０２１と、着信操作を実行可能な端末の内線番号１０２２とが関連付けて登録されている。例えば、内線番号６００、６０１、６０２の端末に着信があった場合には、内線番号４００の端末において着信操作が実行可能であることを示している。着信端末の内線番号が６０３の端末に着信があった場合には、内線番号６００の端末のみならず。内線番号６０１の端末においても着信操作が実行可能であることを示している。このように、運用条件に応じて、１つの端末に対して複数の端末を、着信操作を実行可能な端末として設定したり、複数の端末に対して１つの端末を、着信操作を実行可能な端末として設定したりするようにしてもよい。以下では、着信操作を実行可能な端末を「操作対象端末」とも称する。
【００３３】
図１に戻り、ボイスメール装置１０３は、音声ガイダンスによって着信代行を実行する機能を有する。具体的には、音声ガイダンスを利用して、伝言メッセージを保存することにより、着信代行を行う。
【００３４】
発信端末２００は、ＩＰ交換機１００に収容されている内線端末であって、レガシ端末やＩＰ端末、さらにトランクの先の端末等の通話端末である。発信端末２００は、ＩＰ交換機１００に収容されている着信端末３００を呼び出す機能を有する。
【００３５】
着信端末３００は、ＩＰ交換機１００に収容されている内線端末であって、発信端末２００と同様、レガシ端末やＩＰ端末、さらにトランクの先の端末等の通話端末である。着信端末３００は、発信端末２００から呼び出しに応じて鳴動する機能を有する。
【００３６】
代理応答端末４００は、ＩＰ交換機１００に収容されている内線端末であって、着信端末３００への着信を代理応答可能な通話端末である。代理応答端末４００は、受信部（図示せず）および送信部（図示せず）等を含む通信制御部（図示せず）、選択部（図示せず）、入力インタフェース４０１、内線端末位置情報データベース４０２、特番情報データベース４０３などを含んで構成される。
【００３７】
受信部および送信部を含む通信制御部は、一般的な通信デバイス等で構成された通信インタフェースであって、ＩＰ交換機１００から送信される着信先の番号を受信したり、後述する特番等を送信したりする機能を有する。
【００３８】
入力インタフェース４０１は、本発明の表示画面の一例であって、表示制御部（図示せず）により表示が制御されるインタフェースである。入力インタフェース４０１は、代理応答端末４００からグラフィカルユーザインタフェース（ＧＵＩ）によって代理応答を行うために用いられるインタフェースである。
【００３９】
ここで、図３を参照して、入力インタフェース４０１の画面表示例について説明する。図３は、入力インタフェース４０１の画面表示例について説明する説明図である。図３に示したように、入力インタフェース４０１の表示画面には、机４１０、空き端末４２０（内線番号：４２０）、空き端末４２１（内線番号：４２１）、および着信端末４２２（内線番号：４２２）などが表示される。表示可能な各通話端末は、代理応答端末４００の起動時に操作対象端末情報データベース１０２から読み出される。入力インタフェース４０１に表示される机や各通話端末の表示位置は、ユーザによって自由に配置することが可能である。
【００４０】
空き端末４２０に着信があった場合には、着信端末４２２のような表示に変化する。着信端末４２２のような表示とは、例えば、電話アイコンが点滅したり、電話アイコンの色が変化したりする表示をいう。また、入力インタフェース４０１上の位置情報と内線番号とが関連付けられて、後述する内線端末位置情報データベース４０２に記憶されている。また、各端末の着信状態も内線端末位置情報データベース４０２に記憶するようにしてもよい。
【００４１】
図１に戻り、選択部は、ユーザ操作に応じて、上記した入力インタフェース４０１上の表示画面に表示された一の通話端末の識別情報を選択する機能を有する。表示画面上の電話アイコンが点滅等して着信表示に変化した場合に、ユーザにより当該電話アイコンがクリックされることにより一の通話端末が選択される。
【００４２】
内線端末位置情報データベース４０２は、本発明の位置情報記憶部の一例であって、複数の通話端末の識別情報と、複数の通話端末の実際の設置位置の情報とを関連付けて記憶している。すなわち、内線端末位置情報データベース４０２は、入力インタフェース４０１上に配置された内線端末の位置情報および着信状態と内線番号とを関連付けるためのデータベースである。
【００４３】
ここで、図４を参照して、内線端末位置情報データベース４０２に記憶されている内容について説明する。図４は、内線端末位置情報データベース４０２の記憶内容を説明する説明図である。図４に示したように、内線端末位置情報データベース４０２には、入力インタフェース４０１上に配置された端末の内線番号４０２１と各端末の位置情報４０２２および着信状態４０２３が記憶されている。内線番号４０２１は、各通話端末の識別情報であり、位置情報４０２２とは各端末の実際の設置位置の情報である。
【００４４】
位置情報４０２２は、図４に示したように、入力インタフェース上の座標値（７０、４０）を設定してもよい。位置情報４０２２は、上記したように、各端末の実際の設置位置の情報であるが、各ユーザにより自由に決定されるようにしてもよい。また、着信状態は、ＩＰ交換機１００から通知される情報であって、各端末が「空き」状態なのか、「着信中」なのかの値が記憶される。
【００４５】
上記した表示制御部は、複数の通話端末の識別情報を、内線端末位置情報データベース４０２に記憶されている複数の通話端末の実際の設置位置に対応して配置させて入力インタフェース４０１に表示させる機能を有する。ここで、通話端末の識別情報とは、例えば、各通話端末に設定された内線番号等である。
【００４６】
図１に戻り、特番情報データベース４０３は、代理応答端末４００が代理応答を行うための特番を記憶するデータベースである。特番とは、特別な操作を示す番号であって、例えば、代理応答端末４００が代理応答する場合に特定の番号を設定するようにしてもよい。また、代理応答端末４００が代理応答せずに、ボイスメール装置１０３により着信代行する場合には、代理応答する場合に設定された番号とは別の特定の番号を設定するようにしてもよい。
【００４７】
ここで、図５を参照して、特番情報データベース４０３に記憶されている内容について説明する。図５は、特番情報データベース４０３の記憶内容を説明する説明図である。図５に示したように、特番情報データベース４０３には、特番操作名４０３１と特番１１とが関連付けられて記憶されている。特番操作名４０３１としては、「代理応答」や「着信代行」などが例示できる。また、「代理応答」の特番は「１１」、「着信代行」の特番は「１２」と設定するようにしてもよい。当該特番は、入力インタフェース４０１を介してユーザ操作に応じて決定される。例えば、ユーザにより入力インタフェース４０１に表示された着信端末が「クリック」された場合には、特番「１１」を選択するようにしてもよい。また、ユーザにより入力インタフェース４０１に表示された着信端末が「ダブルクリック」された場合には、特番「１２」を選択するようにしてもよい。
【００４８】
図１に戻り、プレゼンスサーバ５００は、本発明の在席情報検索サーバの一例であって、各通話端末の在席状態が登録されたプレゼンス情報データベース５０１を有している。プレゼンスサーバ５００は、ＩＰ交換機１００の要求に応じて、着信端末３００の在席状態をプレゼンス情報データベース５０１から検索する機能を有する。
【００４９】
プレゼンス情報データベース５０１は、本発明の在席情報記憶部の一例であって、通話端末の番号と通話端末の現在の在席情報とを関連付けて記憶する機能を有する。ここで、図６を参照して、プレゼンス情報データベース５０１の記憶内容について説明する。図６は、プレゼンス情報データベース５０１の記憶内容について説明する説明図である。図６に示したように、プレゼンス情報データベース５０１には、内線端末の内線番号５０１１と、在席状態５０１２とが関連付けられて記憶されている。
【００５０】
在席状態５０１２とは、各内線端末の利用者が在席、離席、会議中、外出中などのどの状態であるかを示す情報である。在席状態５０１２は、ユーザ入力により、ＩＰ交換機１００を介して登録されるようにしてもよい。
【００５１】
以上、本実施形態にかかる代理応答システム１の全体構成および各装置の概要について説明した。以下では、代理応答端末４００により代理応答する場合を第１実施形態とし、ボイスメール装置１０３により着信代理する場合を第２実施形態とし、代理応答端末４００の表示画面に在席情報を表示する場合を第３実施形態として、以下、各実施形態の動作を詳細に説明する。
〔３〕第１実施形態の動作の詳細
次に、図７を参照して、第１実施形態にかかる代理応答システム１の動作の詳細について説明する。図７は、本実施形態にかかる代理応答システム１の動作の詳細を説明するタイミングチャートである。
【００５２】
図７に示したように、まず、発信端末２００のユーザにより、着信端末３００の内線番号が押下されて、着信端末３００へ発信する（Ｓ１０２）。ステップＳ１０２において、発信端末２００が着信端末３００へ発信すると、着信端末３００の着信先の番号（着信番号）がＩＰ交換機１００に送信され、ＩＰ交換機１００は、当該着信番号を受信する（Ｓ１０４）。
【００５３】
ステップＳ１０４において着信番号を受信したＩＰ交換機１００は、ＩＰ交換機１００に備わる呼制御部１０１において、受信した着信番号に対応する内線番号を解析して該当する着信番号を呼び出す（Ｓ１０６）。ステップＳ１０６において、ＩＰ交換機１００に呼び出された着信端末３００は鳴動する（Ｓ１０８）。
【００５４】
そして、ステップＳ１０６において着信端末３００を呼び出したＩＰ交換機１００は、操作対象端末情報データベース１０２から着信端末３００に対して代理応答可能な端末を検索する（Ｓ１１０）。ステップＳ１１０における検索の結果に応じて、代理応答可能な端末（代理応答端末４００）へ着信端末３００の内線番号を送信する（Ｓ１１２）。ステップＳ１１０の検索の結果、代理応答可能な端末が複数台あった場合には、複数の代理可能端末へ着信端末３００の内線番号を送信する。
【００５５】
ステップＳ１１２において、ＩＰ交換機１００から着信端末３００の内線番号を送信された代理応答端末４００は、当該番号を受信する（Ｓ１１４）。ステップＳ１１４において、ＩＰ交換機１００から着信端末３００の内線番号を送信された代理応答端末４００は、着信端末３００に着信があったことを認識し、着信端末３００の内線番号および着信があったことを入力インタフェース４０１に通知する（Ｓ１１６）。
【００５６】
入力インタフェース４０１は、代理応答端末４００から着信端末３００の内線番号および着信通知を受信し（Ｓ１１８）、内線端末位置情報データベース４０２から着信端末３００の画面上における位置を検索する。そして、画面上の着信端末を着信状態に遷移させる（Ｓ１２０）。ステップＳ１２０において、画面上の着信端末を着信状態に遷移させるとは、上記したように、画面上の着信端末３００に対応する電話アイコン等を点滅させたり、色を変更したり、着信中表示をしたりすることをいう。
【００５７】
そして、ユーザにより、入力インタフェース４０１上の着信端末がクリックされる（Ｓ１２２）。ステップＳ１１２において、入力インタフェース４０１上の着信端末がクリックされることにより、クリックされた着信端末の内線番号が入力インタフェース４０１から代理応答端末４００に送信される。なお、上記したように、ユーザにより着信端末がクリックされた場合には、特番「１１」の代理応答が選択されることとなる。そして、当該内線番号を代理応答端末４００が受信する（Ｓ１２４）。
【００５８】
代理応答端末４００は、ステップＳ１２４において受信した内線番号と特番情報データベース４０３に記憶されている特番をＩＰ交換機１００に送信する（Ｓ１２６）。本実施形態では、代理応答端末４００により代理応答操作がなされるため、ステップＳ１２６において特番１１が送信される。
【００５９】
ＩＰ交換機１００は、ステップＳ１２６において代理応答端末４００から送信された特番を受信して（Ｓ１２８）呼制御部１０１で分析する（Ｓ１３０）。ステップＳ１３０では、特番情報データベース４０３が検索されて、特番「１１」に関連付けられた代理応答操作であることが特定される。そして、ＩＰ交換機１００は、代理応答に必要な処理を実行する。その後、着信端末３００の呼び出しを停止する（Ｓ１３２）。ステップＳ１３２において、呼び出し停止された着信端末３００は、鳴動を停止する（Ｓ１３４）。
【００６０】
ＩＰ交換機１００は、発信端末２００とステップＳ１２８において受信した内線番号に対応する代理応答端末４００との通話パスをつなぎ、代理応答を実現する（Ｓ１３８、Ｓ１４０）。以上、第１実施形態にかかる代理応答システム１の動作の詳細を説明した。
【００６１】
本実施形態によれば、代理応答端末４００は、ＩＰ交換機１００から着信端末の内線番号を受信し、複数の通話端末の内線番号を通話端末の実際の設置位置に対応して配置させて表示された表示画面において、受信した着信先の番号に対応する表示画面に表示された一の通話端末の内線番号の表示を着信中であることを示す表示に変更する。そして、ユーザにより表示画面に表示された一の通話端末の内線番号が選択されると、当該通話端末に変わって応答することを示す代理応答操作識別情報をＩＰ交換機１００に送信する。代理応答操作識別情報とは、上記した、代理応答操作の特番「１１」である。
【００６２】
これにより、代理応答端末４００を利用するユーザは、表示画面上に表示されたＧＵＩにより容易に代理応答可能か否かを判断することが可能となる。ＧＵＩに表示された内線番号の配置により着信先の端末の場所を容易に把握することができるため、代理応答をするか否かを容易に判断することが可能となる。また、代理応答端末４００を利用するユーザは、代理応答の際に代理応答操作の特番「１１」を指定したりせずともＧＵＩ上の代理応答対象となる端末の内線番号をクリックするのみで代理応答が可能となる。
【００６３】
また、ＩＰ交換機１００と代理応答端末４００を用いて代理応答を実現することができるため、サーバやクライアントを用いる必要がない。また、着信があった場合にのみ、ＩＰ交換機１００と代理応答端末４００の間で情報の通信がなされるため、各機器や回線の負荷を低減することが可能となる。さらに、ＩＰ交換機１００と代理応答端末４００の間で通信する情報は、内線番号と特番のみであるため、ネットワークに負担をかけることなく代理応答を実現することが可能となる。
【００６４】
〔４〕第２実施形態の動作の詳細
次に、図８を参照して、第２実施形態にかかる代理応答システム１の動作の詳細について説明する。図８は、本実施形態にかかる代理応答システム１の動作の詳細を説明するタイミングチャートである。本実施形態では、代理応答端末４００において代理応答の代わりに着信呼をボイスメールに転送することにより着信代行を実現することが可能となる。
【００６５】
図８に示したように、まず、発信端末２００のユーザにより、着信端末３００の内線番号が押下されて、着信端末３００へ発信する（Ｓ２０２）。ステップＳ２０２において、発信端末２００が着信端末３００へ発信すると、着信端末３００の着信先の番号（着信番号）がＩＰ交換機１００に送信され、ＩＰ交換機１００は、当該着信番号を受信する（Ｓ２０４）。
【００６６】
ステップＳ２０４において着信番号を受信したＩＰ交換機１００は、ＩＰ交換機１００に備わる呼制御部１０１において、受信した着信番号に対応する内線番号を解析して該当する着信番号を呼び出す（Ｓ２０６）。ステップＳ２０６において、ＩＰ交換機１００に呼び出された着信端末３００は鳴動する（Ｓ２０８）。
【００６７】
そして、ステップＳ２０６において着信端末３００を呼び出したＩＰ交換機１００は、操作対象端末情報データベース１０２から着信端末３００に対して代理応答可能な端末を検索する（Ｓ２１０）。ステップＳ２１０における検索の結果に応じて、代理応答可能な端末（代理応答端末４００）へ着信端末３００の内線番号を送信する（Ｓ２１２）。ステップＳ２１０の検索の結果、代理応答可能な端末が複数台あった場合には、複数の代理可能端末へ着信端末３００の内線番号を送信する。
【００６８】
ステップＳ２１２において、ＩＰ交換機１００から着信端末３００の内線番号を送信された代理応答端末４００は、当該番号を受信する（Ｓ２１４）。ステップＳ２１４において、ＩＰ交換機１００から着信端末３００の内線番号を送信された代理応答端末４００は、着信端末３００に着信があったことを認識し、着信端末３００の内線番号および着信があったことを入力インタフェース４０１に通知する（Ｓ２１６）。
【００６９】
入力インタフェース４０１は、代理応答端末４００から着信端末３００の内線番号および着信通知を受信し（Ｓ２１８）、内線端末位置情報データベース４０２から着信端末３００の画面上における位置を検索する。そして、画面上の着信端末を着信状態に遷移させる（Ｓ２２０）。ステップＳ２２０において、画面上の着信端末を着信状態に遷移させるとは、上記したように、画面上の着信端末３００に対応する電話アイコン等を点滅させたり、色を変更したり、着信中表示をしたりすることをいう。
【００７０】
そして、ユーザにより、入力インタフェース４０１上の着信端末がダブルクリックされる（Ｓ２２２）。ステップＳ２１２において、入力インタフェース４０１上の着信端末がダブルクリックされることにより、ダブルクリックされた着信端末の内線番号が入力インタフェース４０１から代理応答端末４００に送信される。なお、上記したように、ユーザにより着信端末がダブルクリックされた場合には、特番「１２」の着信代行が選択されることとなる。そして、当該内線番号を代理応答端末４００が受信する（Ｓ２２４）。
【００７１】
代理応答端末４００は、ステップＳ２２４において受信した内線番号と特番情報データベース４０３に記憶されている特番をＩＰ交換機１００に送信する（Ｓ２２６）。本実施形態では、ボイスメール装置１０３により着信代行がなされるため、ステップＳ２２６において特番１２が送信される。
【００７２】
ＩＰ交換機１００は、ステップＳ２２６において代理応答端末４００から送信された特番を受信して（Ｓ２２８）呼制御部１０１で分析する（Ｓ２３０）。ステップＳ２３０では、特番情報データベース４０３が検索されて、特番「１２」に関連付けられた着信代行操作であることが特定される。そして、ＩＰ交換機１００は、着信代行に必要な処理を実行する。その後、着信端末３００の呼び出しを停止する（Ｓ２３２）。ステップＳ２３２において、呼び出し停止された着信端末３００は、鳴動を停止する（Ｓ２３４）。
【００７３】
ＩＰ交換機１００は、発信端末２００とステップＳ２２８において受信した内線番号に対応するボイスメール端末１０３との通話パスをつなぎ、代理応答を実現する（Ｓ２３８、Ｓ２４０）。以上、第２実施形態にかかる代理応答システム１の動作の詳細を説明した。
【００７４】
本実施形態においては、代理応答端末４００において代理応答する代わりに、ボイスメール装置１０３により着信代行を実現することが可能となる。第１実施形態では、代理応答操作識別情報を送信していたが、本実施形態では、着信代行操作識別情報を送信することにより着信代行を実現できる。ユーザは、代理応答をせずに着信代行をする場合にも、着信代行の特番「１２」を指定したりせずともＧＵＩの着信代行対象となる端末の内線番号をクリックするのみで着信代行が可能となる。
【００７５】
〔５〕第３実施形態の動作の詳細
次に、図９を参照して、第３実施形態にかかる代理応答システム１の動作の詳細について説明する。図９は、本実施形態にかかる代理応答システム１の動作の詳細を説明するタイミングチャートである。本実施形態では、入力インタフェース４０１に着信通知とともに、在席状態を表示することが可能となる。
【００７６】
図９に示したように、まず、発信端末２００のユーザにより、着信端末３００の内線番号が押下されて、着信端末３００へ発信する（Ｓ３０２）。ステップＳ３０２において、発信端末２００が着信端末３００へ発信すると、着信端末３００の着信先の番号（着信番号）がＩＰ交換機１００に送信され、ＩＰ交換機１００は、当該着信番号を受信する（Ｓ３０４）。
【００７７】
ステップＳ３０４において着信番号を受信したＩＰ交換機１００は、ＩＰ交換機１００に備わる呼制御部１０１において、受信した着信番号に対応する内線番号を解析して該当する着信番号を呼び出す（Ｓ３０６）。ステップＳ３０６において、ＩＰ交換機１００に呼び出された着信端末３００は鳴動する（Ｓ３０８）。
【００７８】
そして、ＩＰ交換機１００は、着信先の着信端末３００の在席情報を検索するため、プレゼンスサーバ５００に着信端末３００の内線番号を送信する（Ｓ３１０）。ステップＳ３１０において着信端末３００の内線番号を送信されたプレゼンスサーバ５００は、プレゼンスサーバ５００に備わるプレゼンス情報データベース５０１を検索して、着信端末３００の在席情報を取得する（Ｓ３１２）。プレゼンスサーバ５００は、ステップＳ３１２において取得した着信端末の在席情報をＩＰ交換機１００に送信する（Ｓ３１４）。
【００７９】
ＩＰ交換機１００は、プレゼンスサーバ５００から着信端末３００の在席情報を取得する（Ｓ３１６）。そして、ＩＰ交換機１００は、操作対象端末情報データベース１０２から着信端末３００に対して代理応答可能な端末を検索する（Ｓ３１８）。ステップＳ３１８における検索の結果に応じて、代理応答可能な端末（代理応答端末４００）へ着信端末３００の内線番号およびステップＳ３１６において取得した在席情報を送信する（Ｓ３２０）。ステップＳ３１８の検索の結果、代理応答可能な端末複数台あった場合には、複数の代理可能端末へ着信端末３００の内線番号を送信する。
【００８０】
ステップＳ３２０において、ＩＰ交換機１００から着信端末３００の内線番号および在席情報を送信された代理応答端末４００は、当該番号および在席情報を受信する（Ｓ３２２）。ステップＳ３２２において、ＩＰ交換機１００から着信端末３００の内線番号および在席情報を送信された代理応答端末４００は、着信端末３００に着信があったことを認識し、着信端末３００の内線番号、在席情報および着信があったことを入力インタフェース４０１に通知する（Ｓ３２４）。
【００８１】
入力インタフェース４０１は、代理応答端末４００から着信端末３００の内線番号、在席情報および着信通知を受信し（Ｓ３２６）、内線端末位置情報データベース４０２から着信端末３００の画面上における位置を検索する。そして、画面上の着信端末を着信状態に遷移させ、ステップＳ３２８において受信した在席情報を表示する（Ｓ３２８）。ステップＳ３２８において、画面上の着信端末を着信状態に遷移させるとは、上記したように、画面上の着信端末３００に対応する電話アイコン等を点滅させたり、色を変更したり、着信中表示をしたりすることをいう。
【００８２】
ここで、図１０を参照して、本実施形態にかかる入力インタフェース４０１の画面表示例について説明する。図１０は、本実施形態にかかる入力インタフェース４０１の画面表示例について説明する説明図である。図１０に示したように、入力インタフェース４０１の表示画面には、机４１０、空き端末４２０（内線番号：４２０）、空き端末４２１（内線番号：４２１）、および着信端末４２２（内線番号：４２２）などが表示される。
【００８３】
空き端末４２０に着信があった場合には、着信端末４２２のような表示に変化する。着信端末４２２のような表示とは、電話アイコンの点滅等の表示をいう。また、内線番号表示の下方に「会議中」等の在席情報が表示される。これにより、代理応答端末４００を利用するユーザは、どこの内線端末が着信中であるかを認識するだけでなく、当該内線端末  の使用者の在席情報を認識することができる。
【００８４】
図９に戻り、ユーザにより、入力インタフェース４０１上の着信端末がクリックされる（Ｓ３３０）。ステップＳ３３０において、入力インタフェース４０１上の着信端末がクリックされることにより、クリックされた着信端末の内線番号が入力インタフェース４０１から代理応答端末４００に送信される。そして、当該内線番号を代理応答端末４００が受信する（Ｓ３３２）。
【００８５】
代理応答端末４００は、ステップＳ３３２において受信した内線番号と特番情報データベース４０３に記憶されている特番をＩＰ交換機１００に送信する（Ｓ３３４）。本実施形態では、代理応答端末４００により代理応答操作がなされるため、ステップＳ３３４において特番１１が送信される。
【００８６】
ＩＰ交換機１００は、ステップＳ３３４において代理応答端末４００から送信された特番を受信して（Ｓ３３６）呼制御部１０１で分析する（Ｓ３３８）。ステップＳ１３０では、特番情報データベース４０３が検索されて、特番「１１」に関連付けられた代理応答操作であることが特定される。そして、ＩＰ交換機１００は、代理応答に必要な処理を実行する。その後、着信端末３００の呼び出しを停止する（Ｓ３４０）。ステップＳ１３２において、呼び出し停止された着信端末３００は、鳴動を停止する（Ｓ３４２）。
【００８７】
ＩＰ交換機１００は、発信端末２００とステップＳ３３６において受信した内線番号に対応する代理応答端末４００との通話パスをつなぎ、代理応答を実現する（Ｓ３４６、Ｓ３４８）。以上、第３実施形態にかかる代理応答システム１の動作の詳細を説明した。
【００８８】
本実施形態によれば、第１実施形態および第２実施形態と同様に、入力インタフェース４０１上の表示画面上に、複数の通話端末の内線番号を通話端末の実際の設置位置に対応して配置させて表示される。そして、当該表示画面において、受信した着信先の番号に対応する表示画面に表示された一の通話端末の内線番号の表示を着信中であることを示す表示に変更するとともに、着信端末の在席状態を表示させることができる。
【００８９】
これにより、代理応答端末４００により代理応答したユーザが、着信端末の在席状態を把握して、代理応答後の対応方法を判断することが可能となる。例えば、在席者の内線端末に着信があった場合には、代理応答をする必要がないと判断できる。また、会議中の社員の内線端末に着信があった場合には、代理応答後、発信者に対して着信端末の社員が会議中である旨を迅速に伝えることができる。
【００９０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００９１】
【図１】本発明の実施形態にかかる代理応答システムの構成例を示した説明図である。
【図２】同実施形態にかかる操作対象端末情報データベースの登録内容の一例を示す説明図である。
【図３】同実施形態にかかる入力インタフェースの表示例について説明する説明図である。
【図４】同実施形態にかかる内線端末位置情報データベースの記憶内容を説明する説明図である。
【図５】同実施形態にかかる特番情報データベースの記憶内容を説明する説明図である。
【図６】同実施形態にかかるプレゼンス情報データベースの記憶内容について説明する説明図である。
【図７】本発明の第１実施形態にかかる代理応答システムの動作の詳細について説明するタイミングチャートである。
【図８】本発明の第２実施形態にかかる代理応答システムの動作の詳細について説明するタイミングチャートである。
【図９】本発明の第３実施形態にかかる代理応答システムの動作の詳細について説明するタイミングチャートである。
【図１０】同実施形態にかかる入力インタフェースの画面表示例について説明する説明図である。
【符号の説明】
【００９２】
１        代理応答システム
１００    ＩＰ交換機
１０１    呼制御部
１０２    操作対象端末情報データベース
２００    発信端末
３００    着信端末
４００    代理応答端末
４０１    入力インタフェース
４０２    内線端末位置情報データベース
４０３    特番情報データベース
５００    プレゼンスサーバ
５０１    プレゼンス情報データベース
【図１】
2010034975.tif 000003
【図２】
2010034975.tif 000004
【図３】
2010034975.tif 000005
【図４】
2010034975.tif 000006
【図５】
2010034975.tif 000007
【図６】
2010034975.tif 000008
【図７】
2010034975.tif 000009
【図８】
2010034975.tif 000010
【図９】
2010034975.tif 000011
【図１０】
2010034975.tif 000012